(57)【要約】【課題】囮鮎が荒瀬で泳ぐ際に水中先糸からの引っ張り力が囮鮎の進む方向に対してブレーキにならないように小ビーズを背釣側に逃し、囮鮎が自由に動けるようにすることができること。【解決手段】上端部に鼻環を結着すると共に、該鼻環から所定の長さだけガイド糸部を設定して背釣を結着し、一方、下端部に逆さ釣を結着した仕掛け糸本体と、この仕掛け糸本体の前記ガイド糸部にスライド自在に設けられた小環状のビーズと、このビーズに下端部が結着された道糸側の水中先糸とからなる鮎の友釣り用仕掛け。【選択図】  図４
2004201609.tif 000002
【特許請求の範囲】
【請求項１】
上端部に鼻環を結着すると共に、該鼻環から所定の長さだけガイド糸部を設定して背釣を結着し、一方、下端部に逆さ釣を結着した仕掛け糸本体と、この仕掛け糸本体の前記ガイド糸部にスライド自在に設けられた小環状のビーズと、このビーズに下端部が結着された道糸側の水中先糸とからなる鮎の友釣り用仕掛け。
【請求項２】
請求項１に於いて、ビーズは、糸通孔の縁部がアールに形成された小玉であることを特徴とする鮎の友釣り用仕掛け。
【請求項３】
請求項１に於いて、ガイド糸部は、２，５ｃｍ〜３，５ｃｍであり、一方、小ビーズの直径は、１ｍｍ〜３ｍｍ以内であることを特徴とする鮎の友釣り用仕掛け。
【発明の詳細な説明】
【０００１】
【発明の属する技術分野】
本発明は、鮎の友釣り用仕掛けに関する。
【０００２】
【従来の技術】
従来例としては、特開２０００−１２５７２８（Ｐ２０００−１２５７２８Ａ）が存在する。この公報に記載の実施例は、鼻環と背釣との距離を調節することができるように、水中先糸の下端部（公報では「ツマミ糸」）に案内パイプ（２）をスライド自在に設け、この案内パイプに背釣（１）を結着して成る。
換言すれば、前記公報には、「水中先糸の基部に鼻環が結着されており、該鼻環寄りの水中先糸に糸通孔を介して合成樹脂製のパイプを水中先糸方向に移動可能に設け、該パイプに背釣を結着した仕掛け」が開示されている。
【０００３】
上記従来例は、鼻環と背釣との距離を調節することができるので、一応、囮鮎の操作性を向上させることができるという利点を有するものの、案内パイプを背釣程度の長さにする必要がある（短くできない）。
普通一般に、鮎の友釣りには鼻環、背釣等は必須部品なので、ある程度の大きさ或いは長さ寸法は、止むを得ないとしても、必須部品以外は、極力目立たないように、或いは小さくすることが望ましい。その点で、従来例は案内パイプも含め背釣の部分が大きくなるという欠点がある。
【０００４】
また、従来例は、竿を上げて野鮎を吊り上げる時、掛り釣に掛かった野鮎の重さが背釣乃至案内パイプの糸通孔の部分に加わる。したがって、案内パイプの糸通孔の上下縁部に野鮎の重さ（引っ張りトルク）がそれぞれ集中する結果、背釣が外れやすいという利点があるものの、囮鮎の背中を傷める、パイプのカット下端面縁の起因により、糸にキズが付く等の問題点があった。さらに、囮鮎の操作性に関し、案内パイプに背釣の軸部を結着するため、荒瀬において、囮鮎の泳ぎに対応して案内パイプがスムースに滑動しないとという問題点があった。加えて、仕掛けを簡単に製作することができないという問題点もあった。
【０００５】
【発明が解決しようとする課題】
そこで本発明は、従来例の問題点に鑑み、囮鮎が荒瀬で泳ぐ際に水中先糸からの引っ張り力等が囮鮎の進む方向に対してブレーキにならないように背釣側に逃して囮鮎が自由に動けるようにすることができること、野鮎を吊り上げる時に囮鮎の背中に引っ張りトルクが集中して背中を傷めないようにすることができること、ビーズの起因によりガイド糸部にキズが付かないこと、必須部品以外は極力小さな部品にすることができること、仕掛けを簡単、かつ、安価に製作することができること等を目的とする。
【０００６】
【課題を解決するための手段】
本発明の鮎の友釣り用仕掛けは、上端部に鼻環を結着すると共に、該鼻環から所定の長さだけガイド糸部を設定して背釣を結着し、一方、下端部に逆さ釣を結着した仕掛け糸本体と、この仕掛け糸本体の前記ガイド糸部にスライド自在に設けられた小環状のビーズと、このビーズに下端部が結着された道糸側の水中先糸とからなることを特徴とする。
【０００７】
【発明の実施の形態】
図１〜図５に示す一実施例により、本発明を説明する。Ｘは鮎の友釣り用仕掛けである。この友釣り用仕掛けＸの糸は、大別すると二本になる。すなわち、図２で示すように一本目は仕掛け糸本体１で、他の一本は、後述する水中先糸１２である。仕掛け糸本体１の長さは１８ｃｍ〜２１ｃｍである。一方、水中先糸１２の長さは任意である。
【０００８】
まず、仕掛け糸本体１に取付けられる部品について説明する。２は仕掛け糸本体１の上端部に結着された鼻環２である。鼻環２は、略Ｃ型リング状の鼻環本体２ａと、この鼻環本体の開口部の一端に基部が取付けられた可撓性ないし弾発性の止め棒２ｂとから成る。鼻環２は囮鮎の鼻孔に取り取付けられる。
【０００９】
３は鼻環２から所定の長さだけガイド糸部１ａを設定して結着された背釣である。ガイド糸部１ａの長さは、２，５ｃｍ〜３，５ｃｍである。本実施例のガイド糸部１は長さが可変ではない。またガイド糸部１ａは、後述する小ビーズを鼻環２と背釣３との間で案内するガイド機能を果す。また前記背釣３は、その軸部３ａが仕掛け糸本体１に沿うようにして結着され、鉤状の釣部３ｂは鼻環２に指向している。なお、仕掛け糸本体１の太さは任意に選択される（例えばテグスの０．６号〜１号）。
【００１０】
４は仕掛け糸本体１の下端部に結着された逆さ釣である。この逆さ釣４も背釣３と同様に仕掛け糸本体１に結着されるが、その向きは背釣３と逆である（釣部４ｂは仕掛け糸本体の下端部を指向）。逆さ釣４の軸部４ａには糸通孔５が形成され、この糸通孔５には、野鮎を引掛ける錨状の引掛け釣７を有する所要長さのハリス８の上端部が結着される。
【００１１】
本発明では、引掛け釣７を有する所要長さのハリス８は、発明の特定要件ではない。すなわち、ハリス８は、商品の販売時、あっても、なくても良い。なお、ここで符号１ｂは、背釣３と逆さ釣４の間に相当する添え糸部で、この添え糸部１ｂは、図３で示すように囮鮎の背中側から腹側の後方（尻尾寄りの尻部）へと余裕を持って添えられる。
【００１２】
次に１１は仕掛け糸本体１のガイド糸部１ａにスライド自在に設けられた小ビーズである。この小ビーズ１１は合成樹脂材で小玉状又は小環状に形成されている。本実施例では、内周壁が弧状のややリング状或いはドーナツ形状のものが使用され、その直径は、１ｍｍ〜３ｍｍ以内である。
【００１３】
次に１２は下端部が小ビーズ１１に結着された水中先糸である。この水中先糸１２の上端部は図示しない道糸に結着される。
【００１４】
上記構成に於いて、図１は本発明の一例を示す概略説明図、図２は小ビーズ１１を基準にして仕掛け糸本体１、水中先糸１２等がそれぞれ別である旨の概略説明図である。図１で示す鮎の友釣り用仕掛けＸは、図３に示すように囮鮎Ｆに装着される。これを簡単に説明すると、鼻環２は囮鮎Ｆの鼻孔に、背釣３はガイド糸１ａが頭の上方に余裕を持って沿うようにその背中に、逆さ釣４は胴体側に添えるようにしてその尻部にそれぞれ打たれる（掛けられる）。なお、引掛け釣７を有するハリス８は逆さ釣４から流れるように付いている。
【００１５】
図４は荒瀬Ｒの中に囮鮎Ｆが入る場面を示している。前述したように、本発明ではガイド糸１ａに小ビーズ１１がスライド自在に設けられているから、囮鮎Ｆが水中深く潜ろうとすると、小ビーズ１１は囮鮎Ｆの下向き〜その動きに追動し、逆さ釣４の方へ滑動する。つまり、荒瀬の中に囮鮎Ｆが入ると、囮鮎Ｆは水中深く潜ろうとするが、その動きに対応して小ビーズ１１が逆さ釣４の方へスムース（自由）に移動するので、囮鮎Ｆの動きにブレーキが掛からない。
【００１６】
一方、図５は野鮎Ｆ１がハリス８の引掛け釣７に掛かった時の一例を示す概略説明図である。引掛け釣７に野鮎Ｆ１が引っ掛かると、逆さ釣４が囮鮎Ｆから外れる。その瞬間、図示しない釣り人が竿を上げると、水中先糸１２が張り、小ビーズ１１が鼻環２側に滑動する。ビーズ１１が鼻環２側に滑動すると、水中先糸１２による引っ張り力は可動ビーズ１１を介して鼻環２と背釣３とに分散する。したがって、水中先糸１２による引っ張り力が野鮎Ｆ１の背中に集中するのを防止することができる。
【００１７】
ところで、釣り人が完全に吊り上げた場合に於いて、図５のように背釣３が付いた状態で吊り上げる確率は、２０パーセントであり、残りの８０パーセントは、背釣３も外れる。後者の場合、野鮎Ｆ１が引掛け釣７に掛かっている関係上、ビーズ１１は鼻環２側に位置している。したがって、糸が略直線的になるので、カイド糸部１ａにキズが付かないことと相俟って糸（１２，１ａ，１ｂ）はそう簡単には切れない。
【００１８】
【実施例】
小ビーズ１１は、ガイド糸部に対する滑動を良好にするために小玉又は小環状の形態に形成している。そして、小環状の場合には、ガイド糸部１ａにキズが付かないようにその糸通孔が、いわばドーナツ形状のように内周壁が弧状に形成され、また小玉の場合には、ガイド糸部１ａにキズが付かないようにその糸通孔の縁部がアールに形成されている。
【００１９】
【発明の効果】
以上の説明から明らかなように、本発明にあっては、次に列挙するような効果がある。
（１）囮鮎が荒瀬で泳ぐ際に水中先糸からの引っ張り力が囮鮎の進む方向に対してブレーキにならないように小ビーズを背釣側に逃し、囮鮎が自由に動けるようにすることができる。
（２）野鮎を吊り上げる時に囮鮎の背中に引っ張りトルクが集中して背中を傷めないようにすることができる。
（３）鼻環、背釣などの必須部品以外の部品を「糸通孔に曲率を有する小玉又は小環状」の形態にすることができる。そして、小玉又は小環状には、その糸通孔の内周壁又は縁部はアールなので、ガイド糸部１ａにキズが付かない。
（４）野鮎を吊り上げる時に背釣３が外れても、ビーズ１１は鼻環側に位置しているので、糸（１２，１ａ，１ｂ）が切れ難い。
（５）仕掛けを簡単、かつ、安価に製作することができる。
【図面の簡単な説明】
【図１】本発明の一例を示す概略説明図。
【図２】本発明の分解説明図。
【図３】囮鮎に装着した場合の概略説明図。
【図４】囮鮎が荒瀬の中に入る場面の概略説明図。
【図５】釣り人が竿を上げる瞬間時の概略説明図。
【符号の説明】
Ｘ…友釣り用仕掛け、１…仕掛け糸本体、１ａ…ガイド糸部、１ｂ…添え糸部、２…鼻環、３…背釣、４…逆さ釣、５…糸通孔、７…引掛け釣、８…ハリス、１１…小ビーズ、１２…水中先糸、Ｆ…囮鮎、Ｆ１…野鮎、Ｒ…荒瀬。
【図１】
2004201609.tif 000003
【図２】
2004201609.tif 000004
【図３】
2004201609.tif 000005
【図４】
2004201609.tif 000006
【図５】
2004201609.tif 000007